(57)【要約】【課題】照明のエネルギー効率を高めつつ、屋内の照度を制御することのできる照度制御システムを提供する。【解決手段】照度制御システムは、屋外の照度を検知する屋外照度センサー３０と、屋内の照度を検知する屋内照度センサー４０と、屋内の壁部に設けられ、屋外と屋内との間における光の透光率を、照度制御装置５０から印加される電圧の大きさに基づいて調整する調光シート１０とを備える。そして、照度制御装置５０は、屋外照度センサー３０により検知される屋外の照度が屋内照度センサー４０により検知される屋内の照度よりも高いときには、調光シート１０が第１の透光率を示す電圧を印加する制御を行う。その一方で、照度制御装置５０は、屋外照度センサー３０により検知される屋外の照度が屋内照度センサー４０により検知される屋内の照度よりも低いときには、調光シート１０が第１の透光率よりも低い第２の透光率を示す電圧を印加する制御を行う。【選択図】図１
2018018727.tif 000002
【特許請求の範囲】
【請求項１】
屋外の照度と屋内の照度との差である照度差を取得する照度差取得部と、
屋内の壁部に設けられ、屋外と屋内との間における光の透光率を、調光制御部から印加される電圧の大きさに基づいて調整する調光部と、
を備え、
前記照度差取得部は、前記屋内の照度を検知する屋内照度センサーを備え、
前記調光制御部は、前記屋内照度センサーにより検知される屋内の照度が予め設定した設定照度を下回るときには、前記照度差取得部の取得した前記照度差に基づき、前記屋外の照度が前記屋内の照度よりも高いことを条件に、前記調光部が第１の透光率を示す電圧を印加する制御を行う一方で、前記屋外の照度が前記屋内の照度よりも低いことを条件に、前記調光部が前記第１の透光率よりも低い第２の透光率を示す電圧を印加する制御を行う
ことを特徴とする照度制御システム。
【請求項２】
前記調光制御部は、前記屋内照度センサーにより検知される屋内の照度が予め設定した設定照度を上回るときには、前記調光部の透光率を下方修正する
請求項１に記載の照度制御システム。
【請求項３】
屋内に設けられた照明器具の照明強度を制御する照明制御部を更に備え、
前記照明制御部は、前記屋内照度センサーにより検知される屋内の照度が前記設定照度を上回るときには前記照明器具の照明強度を低下させ、
前記調光制御部は、前記屋内照度センサーにより検知される屋内の照度が前記設定照度を上回るときであって、且つ、前記屋外の照度が前記屋内の照度よりも高いときには、前記照明器具が消灯していることを条件に前記調光部の透光率を下方修正する
請求項２に記載の照度制御システム。
【請求項４】
屋内の人物の有無を検知する人検知センサーを更に備え、
前記照明制御部は、前記人検知センサーにより屋内の人物が検知されないときには、前記照明器具を消灯させる
請求項３に記載の照度制御システム。
【請求項５】
前記照度差取得部は、前記屋内の照度を検知する屋内照度センサーと、前記屋外の照度を検知する屋外照度センサーとを備え、
前記調光制御部は、前記屋内照度センサーにより検知される屋内の照度が予め設定した設定照度を下回るときには、前記屋外照度センサーにより検知される屋外の照度が前記屋内照度センサーにより検知される屋内の照度よりも高いことを条件に、前記調光部の透光率を上方修正する
請求項１〜４の何れか一項に記載の照度制御システム。
【請求項６】
前記照度差取得部は、前記屋内の照度を検知する屋内照度センサーと、前記屋外の照度を検知する屋外照度センサーとを備え、
前記調光制御部は、前記屋内照度センサーにより検知される屋内の照度が予め設定した設定照度を下回るときには、前記屋外照度センサーにより検知される屋外の照度が前記屋内照度センサーにより検知される屋内の照度よりも低いことを条件に、前記調光部の透光率を下方修正する
請求項１〜５の何れか一項に記載の照度制御システム。
【請求項７】
前記調光部は、
一対の透明電極と、
前記一対の透明電極の間に配置され、高分子材料及び液晶分子が充填された液晶層からなる調光層と
を有し、
前記調光制御部は、前記一対の透明電極に印加する電圧の大きさを制御する
請求項１〜６の何れか一項に記載の照度制御システム。
【発明の詳細な説明】
【技術分野】
【０００１】
本発明は、屋内の照度を制御する照度制御システムに関する。
【背景技術】
【０００２】
従来、例えば特許文献１に記載のように、屋外から屋内への光の入射を調光フィルムを用いて調整しつつ、屋内の照明器具の照明強度を制御して屋内の照度を最適に保つようにした調光システムが知られている。
【０００３】
この調光システムは、例えば太陽光の強度や天候情報等といった光源情報に基づいて調光フィルムの透光率を調整し、調整後の調光フィルムを用いたときの屋内の照度が最適な照度となるように照明器具の照明強度を制御するようにしている。これにより、屋内の照度が最適な照度となるように太陽光が最大限に利用されつつ照明器具の照明強度が調整されることにより、照明器具の消費電力を抑えるかたちで屋内の照度を最適に保つことが可能となる。
【先行技術文献】
【特許文献】
【０００４】
【特許文献１】特開２０１１−４０３４４号公報
【発明の概要】
【発明が解決しようとする課題】
【０００５】
ところで、上記文献に記載の調光システムでは、屋外が比較的暗いときには、調光フィルムの透過率を上げたとしても、屋外から屋内に取り込まれる太陽光の光量には自ずと限界がある。そのため、屋内の照明器具の照明強度を上げることにより、屋内の照度を最適に保つようにしている。このとき、上述のように調光フィルムの透過率が比較的高い状態にあることから、照明器具から照射される光の一部が調光フィルムを介して屋内から屋外に放出されてしまい、屋内の照度を所定の照度とするのに必要とされる照明器具の消費電力の効率である照明のエネルギー効率を低下させる要因となっていた。
【０００６】
本発明は、このような実情に鑑みてなされたものであり、その目的は、照明のエネルギー効率を高めることのできる照度制御システムを提供することにある。
【課題を解決するための手段】
【０００７】
上記課題を解決する照度制御システムは、屋外の照度と屋内の照度との差である照度差を取得する照度差取得部と、屋内の壁部に設けられ、屋外と屋内との間における光の透光率を、調光制御部から印加される電圧の大きさに基づいて調整する調光部と、を備え、前記照度差取得部は、前記屋内の照度を検知する屋内照度センサーを備え、前記調光制御部は、前記屋内照度センサーにより検知される屋内の照度が予め設定した設定照度を下回るときには、前記照度差取得部の取得した前記照度差に基づき、前記屋外の照度が前記屋内の照度よりも高いことを条件に、前記調光部が第１の透光率を示す電圧を印加する制御を行う一方で、前記屋外の照度が前記屋内の照度よりも低いことを条件に、前記調光部が前記第１の透光率よりも低い第２の透光率を示す電圧を印加する制御を行う。
【０００８】
上記構成によれば、屋外の照度が屋内の照度よりも高いときには、調光部が比較的高い第１の透光率を示すことにより、屋外から調光部を介して屋内に向けて光が取り込まれる。その一方で、屋外の照度が屋内の照度よりも低いときには、調光部が比較的低い第２の透光率を示すことにより、屋内から屋外に向けて射出される光が調光部により屋内に反射される。すなわち、屋外の照度が屋内の照度よりも高い場合であれ低い場合であれ、屋内の照度を所定の照度とするのに必要とされる照明器具の照明強度を抑えて照明のエネルギー効率を高めることができる。
【０００９】
上記構成において、前記調光制御部は、前記屋内照度センサーにより検知される屋内の照度が予め設定した設定照度を上回るときには、前記調光部の透光率を下方修正してもよい。
【００１０】
上記構成によれば、屋内の照度が設定照度を上回るときには、屋外から調光部を介して屋内に取り込まれる光の光量を抑える。これにより、照明のエネルギー効率を維持しつつ、屋内の照度を設定照度に収束させることができる。
【００１１】
上記構成において、屋内に設けられた照明器具の照明強度を制御する照明制御部を更に備え、前記照明制御部は、前記屋内照度センサーにより検知される屋内の照度が前記設定照度を上回るときには前記照明器具の照明強度を低下させ、前記調光制御部は、前記屋内照度センサーにより検知される屋内の照度が前記設定照度を上回るときであって、且つ、前記屋外の照度が前記屋内の照度よりも高いときには、前記照明器具が消灯していることを条件に前記調光部の透光率を下方修正してもよい。
【００１２】
上記構成によれば、屋内の照度が設定照度を上回るときには、照明器具の照明動作が行われているのであれば、まずは照明器具の照明強度を低下させる。そして、照明器具が消灯した時点であっても屋内の照度が設定照度を上回ったときに初めて、屋外から調光部を介して屋内に取り込まれる光の光量を抑える。これにより、照明のエネルギー効率を最大限に高めつつ、屋内の照度を設定照度に収束させることができる。
【００１３】
上記構成において、屋内の人物の有無を検知する人検知センサーを更に備え、前記照明制御部は、前記人検知センサーにより屋内の人物が検知されないときには、前記照明器具を消灯させてもよい。
【００１４】
上記構成によれば、屋内に人物が存在しないときには、屋内の照度の高低に関わらず、照明器具を自動的に消灯させることにより、照明のエネルギー効率をより一層高めることが可能となる。
【００１５】
上記構成において、前記照度差取得部は、前記屋内の照度を検知する屋内照度センサーと、前記屋外の照度を検知する屋外照度センサーとを備え、前記調光制御部は、前記屋内照度センサーにより検知される屋内の照度が予め設定した設定照度を下回るときには、前記屋外照度センサーにより検知される屋外の照度が前記屋内照度センサーにより検知される屋内の照度よりも高いことを条件に、前記調光部の透光率を上方修正してもよい。
【００１６】
上記構成によれば、屋内の照度が設定照度を下回るときには、屋外の照度が屋内の照度よりも高く、屋外から屋内への光の入射量の方が屋内から屋外への光の放出量よりも大きい状況にあることを条件に、屋外から屋内への調光部を介した光の取り込みを促す。これにより、照明のエネルギー効率を高めつつ、屋内の照度を設定照度に収束させることができる。
【００１７】
上記構成において、前記照度差取得部は、前記屋内の照度を検知する屋内照度センサーと、前記屋外の照度を検知する屋外照度センサーとを備え、前記調光制御部は、前記屋内照度センサーにより検知される屋内の照度が予め設定した設定照度を下回るときには、前記屋外照度センサーにより検知される屋外の照度が前記屋内照度センサーにより検知される屋内の照度よりも低いことを条件に、前記調光部の透光率を下方修正してもよい。
【００１８】
上記構成によれば、屋内の照度が設定照度を下回るときには、屋外の照度が屋内の照度よりも低く、屋内から屋外への光の放出量の方が屋外から屋内への光の入射量よりも大きい状況にあることを条件に、屋外から屋内への調光部を介した光の放出を抑える。これにより、照明のエネルギー効率を高めつつ、屋内の照度を設定照度に収束させることができる。
【００１９】
上記構成において、前記調光部は、一対の透明電極と、前記一対の透明電極の間に配置され、高分子材料及び液晶分子が充填された液晶層からなる調光層とを有し、前記調光制御部は、前記一対の透明電極に印加する電圧の大きさを制御してもよい。
【００２０】
上記構成によれば、調光部の透過率のダイナミックレンジを大きく確保することができるため、屋内の照度を幅広く制御することが可能となる。
【発明の効果】
【００２１】
本発明によれば、照明のエネルギー効率を高めつつ、屋内の照度を制御することができる。
【図面の簡単な説明】
【００２２】
【図１】電圧非印加時における第１の実施の形態の照度制御システムの概略構成を模式的に示す断面図。
【図２】電圧非印加時における第１の実施の形態の調光シートの光学特性を示す断面図。
【図３】電圧非印加時における第１の実施の形態の調光シートの光学特性を示す断面図。
【図４】電圧印加時における第１の実施の形態の照度制御システムの概略構成を模式的に示す断面図。
【図５】電圧印加時における第１の実施の形態の調光シートの光学特性を示す断面図。
【図６】電圧印加時における第１の実施の形態の調光シートの光学特性を示す断面図。
【図７】第１の実施の形態の調光シートにあって、一対の透明電極に印加される電圧の大きさと調光シートに入射する光の透光率との相関関係を示すグラフ。
【図８】第１の実施の形態の照度制御装置の機能構成を示すブロック図。
【図９】第１の実施の形態の照度制御装置が実行する屋内の照度制御の制御手順を示すフローチャート。
【図１０】第１の実施の形態の照度制御装置が実行する屋内の照度制御の制御手順を示すフローチャート。
【図１１】屋外の照度が設定照度よりも高く、且つ、屋内の照度の初期値が設定照度よりも高いときに、第１の実施の形態の照度制御システムが調光シートと照明器具とを組み合わせて作動させた場合の変化の推移の一例を示すグラフであって、（ａ）は屋内の照度の推移を示し、（ｂ）は調光シートの透光率の推移を示し、（ｃ）は照明器具の照明強度の推移を示す。
【図１２】屋外の照度が設定照度よりも高く、且つ、屋内の照度の初期値が設定照度よりも低いときに、第１の実施の形態の照度制御システムが調光シートと照明器具とを組み合わせて作動させた場合の変化の推移の一例を示すグラフであって、（ａ）は屋内の照度の推移を示し、（ｂ）は調光シートの透光率の推移を示し、（ｃ）は照明器具の照明強度の推移を示す。
【図１３】屋外の照度が設定照度よりも低く、且つ、屋内の照度の初期値が屋外の照度よりも高いときに、第１の実施の形態の照度制御システムが調光シートと照明器具とを組み合わせて作動させた場合の変化の推移の一例を示すグラフであって、（ａ）は屋内の照度の推移を示し、（ｂ）は調光シートの透光率の推移を示し、（ｃ）は照明器具の照明強度の推移を示す。
【図１４】屋外の照度が設定照度よりも低く、且つ、屋内の照度の初期値が屋外の照度よりも低いときに、第１の実施の形態の照度制御システムが調光シートと照明器具とを組み合わせて作動させた場合の変化の推移の一例を示すグラフであって、（ａ）は屋内の照度の推移を示し、（ｂ）は調光シートの透光率の推移を示し、（ｃ）は照明器具の照明強度の推移を示す。
【図１５】電圧非印加時における第２の実施の形態の照度制御システムの概略構成を模式的に示す断面図。
【図１６】電圧非印加時における第２の実施の形態の調光シートの光学特性を示す断面図。
【図１７】電圧非印加時における第２の実施の形態の調光シートの光学特性を示す断面図。
【図１８】電圧印加時における第２の実施の形態の照度制御システムの概略構成を模式的に示す断面図。
【図１９】電圧印加時における第２の実施の形態の調光シートの光学特性を示す断面図。
【図２０】電圧印加時における第２の実施の形態の調光シートの光学特性を示す断面図。
【図２１】第３の実施の形態の照度制御装置の機能構成を示すブロック図。
【図２２】第３の実施の形態の照度制御装置が実行する屋内の照度制御の制御手順を示すフローチャート。
【図２３】第３の実施の形態の照度制御装置が実行する屋内の照度制御の制御手順を示すフローチャート。
【発明を実施するための形態】
【００２３】
（第１の実施の形態）
図１から図１４を参照して、照度制御システムの第１の実施の形態について説明する。
図１に示すように、照度制御システムは、調光シート１０、照明器具２０、屋外照度センサー３０、屋内照度センサー４０、及び照度制御装置５０を備えている。
【００２４】
調光シート１０は、建造物の壁部１００に形成された開口部１０１のうち調光窓１０２の内側に隣接して設けられており、屋内に太陽光を取り込んで屋内の明るさを確保する。照明器具２０は、建造物の天井部１０３のうち屋内に面する部位に設けられており、屋内に照明光を射出して屋内の明るさを確保する。屋外照度センサー３０は、壁部１００のうち屋外に面する部位に設けられており、屋外の照度を検知する。屋内照度センサー４０は、壁部１００のうち屋内に面する部位に設けられており、屋内の照度を検知する。照度制御装置５０は、屋外照度センサー３０から入力される屋外の照度情報及び屋内照度センサー４０から入力される屋内の照度情報を用いて屋外の照度と屋内の照度との差である照度差を取得し、当該取得した照度差に基づき調光シート１０及び照明器具２０を連携して制御することにより、屋内の照度を予め設定した設定照度となるように制御する。
【００２５】
より詳細には、調光シート１０は、一対の基板１１、一対の透明電極１２、及び調光層１３を備えている。
一対の基板１１は、光透過性を有している。基板１１の材質としては、ガラスやシリコン、またはポリエチレン、ポリスチレン、ポリエチレンテレフタレート、ポリビニルアルコール、ポリカーボネート、ポリ塩化ビニル、ポリイミド、ポリサルホン等の高分子フィルムを用いることができる。各基板１１は、第１面１１Ａと第２面１１Ｂとを有し、各々の対向面となる第１面１１Ａに一対の透明電極１２が設けられている。
【００２６】
一対の透明電極１２は、光透過性を有している。各透明電極１２は、各基板１１の第１面１１Ａにスズドープ酸化インジウム（ＩＴＯ）や酸化スズ（ＴＯ）、フッ素ドープ酸化スズ（ＦＴＯ）などの半導体セラミックスの薄膜を基板全域或いは部分的に既知の塗布法や印刷法やスパッタ等の蒸着法により形成したものである。また、各透明電極１２のうち、基板１１に接する面とは反対側の面には調光層１３が設けられている。すなわち、調光層１３は、一対の透明電極１２の間に配置されている。
【００２７】
調光層１３は、ランダムな網目状の高分子樹脂１３Ａの中に液晶分子１３Ｂが連続層を形成したＰＮＬＣ（Polymer Network Liquid Crystal）構造を有する高分子ネットワーク型液晶である。液晶分子１３Ｂは、例えば、誘電率異方性が正であって、液晶分子１３Ｂの長軸方向の誘電率が液晶分子１３Ｂの短軸方向の誘電率よりも大きい。液晶分子の一例としては、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系等が挙げられる。
【００２８】
そして、上述した調光層１３におけるＰＮＬＣ構造の製造には、高分子と液晶を相分離させる公知の方法として、例えばＰＩＰＳ（Polymerization Induced Phase Separation）法、ＴＩＰＳ（Thermally Induced Phase Separation）法、ＳＩＰＳ（Solvent Induced Phase Separation）法等を用いることができる。ＰＩＰＳ法は、アクリル系、チオール系、エポキシ系等の、熱や光によって重合する高分子前駆体と液晶を混合し、均一相の状態から重合させて相分離させる方法である。ＴＩＰ法は、熱可塑性高分子と液晶を混合し、均一相を加熱した状態から冷却して分離させる方法である。ＳＩＰＳ法は、高分子と液晶をクロロフォルムなどの溶媒に溶かし、溶媒を蒸発させて高分子と液晶を相分離させる方法である。
【００２９】
照度制御装置５０は、屋外照度センサー３０から入力される屋外の照度情報と、屋内照度センサー４０から入力される屋内の照度情報とを用いて屋外の照度と屋内の照度との差である照度差を取得し、当該取得した照度差に基づき、一対の透明電極１２に印加する電圧の大きさを制御する。そして、調光層１３は、照度制御装置５０から一対の透明電極１２への電圧の印加態様に基づき、液晶の相状態を遷移させる。
【００３０】
具体的には、図１に示すように、照度制御装置５０から一対の透明電極１２に第１の電圧として０［Ｖ］を印加するときであって、照度制御装置５０から一対の透明電極１２に電圧を印加していない状態では、液晶の相状態は、液晶分子１３Ｂの長軸方向の向きが、当該液晶分子１３Ｂの近傍に位置する高分子樹脂１３Ａにも依存して不規則的になるフォーカルコニック相となる。
【００３１】
このように、液晶分子１３Ｂが配向されていない状態では、調光シート１０に入射した光が進行方向を大きく曲げられて拡散するようになり、調光シート１０は白濁した状態となる。そのため、図２に示すように、屋外の照度が屋内の照度よりも高いときには、屋外から調光シート１０に入射した光が屋外側に散乱することとなり、調光シート１０の厚み方向に透過して屋内には進入しにくい。その一方で、図３に示すように、屋外の照度が屋内の照度よりも低いときには、屋内から調光シート１０に入射した光が屋内側に散乱することとなり、調光シート１０の厚み方向に透過して屋外には放出されにくい。
【００３２】
また、図４に示すように、照度制御装置５０から一対の透明電極１２に印加する電圧が第１の電圧よりも大きい第２の電圧であるときには、液晶の相状態は、液晶分子の長軸方向が一対の透明電極１２の間に作用する電界方向に配向したホメオトロピック相となる。
【００３３】
このように、液晶分子１３Ｂが配向された状態では、液晶分子１３Ｂの屈折率と高分子樹脂１３Ａの屈折率とが揃うことから、調光シート１０に入射した光が進行方向を大きく曲げることなく調光シート１０を透過するようになり、調光シート１０は透明な状態となる。そのため、図５に示すように、屋外の照度が屋内の照度よりも高いときには、屋外から調光シート１０に入射した光が調光シート１０の厚み方向に透過して屋内に進入しやすい。その一方で、図６に示すように、屋外の照度が屋内の照度よりも低いときには、屋内から調光シート１０に入射した光が調光シート１０の厚み方向に透過して屋外に放出されやすい。
【００３４】
図７は、照度制御装置５０から一対の透明電極１２に印加される電圧と、調光シート１０に入射する光の透光率との相関関係を示すグラフである。同図に示すように、一対の透明電極１２に印加される電圧が第１の電圧Ｖ１であるときには、上述のように調光層１３が光に対して非透光性を示すことから、透光率（第２の透光率）は比較的低い傾向にある。その一方で、一対の透明電極１２に印加される電圧が第２の電圧Ｖ２であるときには、上述のように調光層１３が光に対して透光性を示すことから、透光率（第１の透光率）は比較的高い傾向にある。また、一対の透明電極１２に印加される電圧が第１の電圧Ｖ１から第２の電圧Ｖ２に変化する過程で、透光率はＳ字曲線を描きつつ増加する。そして、本実施の形態では、照度制御装置５０は、この透光率のＳ字曲線を描く範囲も含めて、一対の透明電極１２に印加する大きさを連続的に変化させることにより、透光率を定量的に調整可能となっている。
【００３５】
図８は、照度制御装置５０の機能構成を示すブロック図である。同図に示すように、照度制御装置５０は、透光率算出部５１、調光駆動部５２、照明強度算出部５３、照明駆動部５４を備えている。
【００３６】
透光率算出部５１は、屋外照度センサー３０から入力される屋外の照度情報、及び屋内照度センサー４０から入力される屋内の照度情報とを用いて屋外の照度と屋内の照度との差である照度差を取得し、当該取得した照度差に基づき、調光シート１０の透光率を算出する。調光駆動部５２は、透光率算出部５１により算出された透光率に基づき、図示しない駆動電源から調光シート１０に印加する電圧の大きさを変化させる。なお、調光駆動部５２は、例えば、ＰＷＭ制御（パルス幅変調制御）を用いることにより、一対の透明電極１２に印加する電圧の大きさを連続的に変化させる。また、照明強度算出部５３は、屋外照度センサー３０から入力される屋外の照度情報、及び屋内照度センサー４０から入力される屋内の照度情報に基づき、照明器具２０の照明強度を算出する。照明駆動部５４は、照明強度算出部５３により算出された照明強度に基づき、図示しない駆動電源から照明器具２０の印加する電圧の大きさを変化させる。なお、照明器具２０の一例としてＬＥＤ（Light Emitting Diode）照明を用いる場合には、光量を一定にするための定電流回路が内蔵されていないＬＥＤ照明を用いた上で、照明駆動部５４からＬＥＤ照明に供給する直流電流を制御することが好ましい。このとき、照明駆動部５４は、例えばＰＷＭ制御を用いることにより、照明器具２０に供給する直流電流の大きさを連続的に変化させる。
【００３７】
より詳細には、透光率算出部５１は、屋内照度センサー４０から入力される屋内の照度が予め設定した設定照度よりも低いときには、この屋内の照度と屋外照度センサー３０から入力される屋外の照度とを比較する。そして、透光率算出部５１は、屋外の照度が屋内の照度よりも高いときには、屋外から屋内に積極的に光を取り込むべく、調光シート１０の透光率を高い値として算出する。また、照明強度算出部５３も同様にして、屋外照度センサー３０から入力される屋外の照度と、屋内照度センサー４０から入力される屋内の照度とを比較する。そして、屋外の照度が屋内の照度よりも高いときには、上述した透光率算出部５１による調光シート１０の透光率の算出結果を監視する。そして、照明強度算出部５３は、透光率算出部５１による調光シート１０の透光率の算出値が調光シート１０の調整範囲の最大値であってもなお、屋内の照度が設定照度よりも低く、且つ、屋外の照度が屋内の照度よりも高いときには、屋外から屋内への光の取り込みに加えて照明器具２０により屋内を積極的に照明するべく、照明器具２０の照明強度を高い値として算出する。
【００３８】
また、透光率算出部５１は、同じく屋内の照度が予め設定した設定照度よりも低く、且つ、屋外の照度が屋内の照度よりも低いときには、屋内から屋外への光の放出を抑えるべく、調光シート１０の透光率を低い値として算出する。また、照明強度算出部５３も同様にして、屋内の照度が設定照度よりも低く、且つ、屋外の照度が屋内の照度よりも低いときには、上述した透光率算出部５１による調光シート１０の透光率の算出結果を監視する。そして、照明強度算出部５３は、透光率算出部５１による調光シート１０の透光率の算出値が調光シート１０の調整範囲の最小値であってもなお、屋内の照度が設定照度よりも低く、且つ、屋外の照度が屋内の照度よりも低いときには、屋内から屋外への光の放出を抑えることに加えて照明器具２０により屋内を積極的に照明するべく、照明器具２０の照明強度を高い値として算出する。
【００３９】
また、透光率算出部５１は、屋内の照度が設定照度よりも高いときには、照明強度算出部５３により算出された照明強度に基づき、照明器具２０がオン状態であるか否かを監視する。そして、透光率算出部５１は、照明器具２０がオン状態にあるときには、調光シート１０の透光率を一定の値として算出する。また、照明強度算出部５３も同様にして、屋内の照度が設定照度よりも高く、且つ、照明器具２０がオン状態にあるときには、照明器具２０による屋内の照明を抑えるべく、照明器具２０の照明強度を低い値として算出する。そして、透光率算出部５１は、照明強度算出部５３による照明器具２０の照明強度の算出値が照明器具２０の調整範囲の最小値であってもなお、すなわち照明器具２０がオフ状態にあってもなお、屋内の照度が設定照度よりも高いときには、照明器具２０の照明動作をオフにすることに加えて屋外から屋内への光の入射を抑制するべく、調光シート１０の透光率を低い値として算出する。
【００４０】
次に、照度制御装置５０が調光シート１０及び照明器具２０を通じて実行する屋内の照度制御について、その具体的な制御手順を説明する。ここで、照度制御装置５０は、屋内の照度制御を所定の周期で実行する。
【００４１】
図９及び図１０に示すように、この照度制御ではまず、照度制御装置５０は、屋内照度センサー４０から屋内の照度を取得するとともに、当該取得した屋内の照度と予め設定した設定照度とを比較する（ステップＳ１０）。そして、屋内の照度が設定照度よりも高いときには（ステップＳ１０＝ＹＥＳ）、屋外の照度と屋内の照度とを比較する（ステップＳ１１）。ここで、屋外の照度が屋内の照度以上であるときには（ステップＳ１１＝ＹＥＳ）、屋内の照明器具２０の照明動作がオンであれば（ステップＳ１２＝ＹＥＳ）、まずは照明器具２０の照明強度を下げる（ステップＳ１３）。
【００４２】
また、照度制御装置５０は、照明器具２０の照明強度を下げた後、屋内の照度が設定照度と一致するか否かを判定する（ステップＳ２６）。そして、照明器具２０の照明強度を下げてもなお、屋内の照度が設定照度と一致しないときには（ステップＳ２６＝ＮＯ）、その処理をステップＳ１０に戻す。
【００４３】
このとき、上述のように、屋内の照度は依然として設定照度よりも高い状態にあり（ステップＳ１０＝ＹＥＳ）、且つ、屋外の照度が屋内の照度以上であることから（ステップＳ１１＝ＹＥＳ）、その処理がステップＳ１２に移行する。そして、照度制御装置５０は、屋内の照度が設定照度と一致するまで、ステップＳ１０、ステップＳ１１〜ステップＳ１３、ステップＳ２６の処理を繰り返す。
【００４４】
そして、照度制御装置５０は、照明器具２０の照明動作がオフとなるまで照明器具２０の照明強度を下げてもなお、屋内の照度が設定照度と一致しないときには（ステップＳ２６＝ＮＯ）、ステップＳ１２において屋内の照明器具２０の照明動作がオフであると判定する（ステップＳ１２＝ＮＯ）。そして、照度制御装置５０は、その処理をステップＳ１４に移行して、調光シート１０の透光率を下方修正する。このとき、調光シート１０の透光率が下がることに合わせて、屋外から調光シート１０を介して屋内に入射する光の光量が低下する。その結果、調光シート１０の透光率を変化させる前と比較して、屋内の照度が低下する。
【００４５】
その後、照度制御装置５０は、こうして調光シート１０の透光率を下方修正してもなお、屋内の照度が設定照度と一致しないときには（ステップＳ２６＝ＮＯ）、その処理をステップＳ１０に戻す。
【００４６】
このとき、照度制御装置５０は、上述のように、屋内の照度は依然として設定照度よりも高い状態にあることから（ステップＳ１０＝ＹＥＳ）、その処理をステップＳ１１に移行する。そして、照度制御装置５０は、屋内の照度が設定照度と一致するまで、ステップＳ１０、ステップＳ１１、ステップＳ１２、ステップＳ１４、ステップＳ２６の処理を繰り返す。その後、照度制御装置５０は、屋内の照度が設定照度と一致した時点で（ステップＳ２６＝ＹＥＳ）、図９及び図１０に示す照度制御を終了する。
【００４７】
その一方で、照度制御装置５０は、屋外の照度が屋内の照度よりも低いときには（ステップＳ１１＝ＮＯ）、調光シート１０の透光率が最小値ではないことを条件に（ステップＳ１５＝ＮＯ）、まずは調光シート１０の透光率を下方修正する（ステップＳ１６）。このとき、調光シート１０の透光率が下がることに合わせて、屋内から屋外に放出される光の光量が減少する。その結果、調光シート１０の透光率を変化させる前と比較して、屋内の照度が上昇する。
【００４８】
そして、照度制御装置５０は、こうして調光シート１０の透光率を下方修正してもなお、屋内の照度が設定照度と一致しないときには（ステップＳ２６＝ＮＯ）、その処理をステップＳ１０に戻す。
【００４９】
このとき、照度制御装置５０は、上述のように、屋内の照度は依然として設定照度よりも高い状態にあることから（ステップＳ１０＝ＹＥＳ）、屋外の照度が屋内の照度よりも低いのであれば（ステップＳ１１＝ＮＯ）、その処理をステップＳ１５に移行する。そして、照度制御装置５０は、屋外の照度が屋内の照度よりも低い間は、屋内の照度が設定照度と一致するまで、ステップＳ１０、ステップＳ１１、ステップＳ１５、ステップＳ１６の処理を繰り返す。
【００５０】
そして、照度制御装置５０は、調光シート１０の透光率が最小値となるまで下げてもなお、屋内の照度が設定照度と一致しないときには（ステップＳ２６＝ＮＯ）、ステップＳ１５において調光シート１０の透光率が最小値であると判定する（ステップＳ１５＝ＹＥＳ）。そして、照度制御装置５０は、その処理をステップＳ１７に移行して、照明器具２０の照明強度を下げる（ステップＳ１７）。
【００５１】
その後、照度制御装置５０は、こうして照明器具２０の照明強度を下げてもなお、屋内の照度が設定照度と一致しないときには（ステップＳ２６＝ＮＯ）、その処理をステップＳ１０に戻す。
【００５２】
このとき、照度制御装置５０は、上述のように屋内の照度が依然として設定照度よりも高い状態にあることから（ステップＳ１０＝ＹＥＳ）、屋外の照度が屋内の照度よりも低いのであれば（ステップＳ１１＝ＮＯ）、その処理をステップＳ１５に移行する。そして、照度制御装置５０は、屋内の照度が設定照度と一致するまで、ステップＳ１０、ステップＳ１１、ステップＳ１５、ステップＳ１７、ステップＳ２６の処理を繰り返す。その後、照度制御装置５０は、屋内の照度が設定照度と一致した時点で（ステップＳ２６＝ＹＥＳ）、図９及び図１０に示す照度制御を終了する。
【００５３】
また、照度制御装置５０は、屋内照度センサー４０から取得した屋内の照度が設定照度よりも低いときには（ステップＳ１０＝ＮＯ、ステップＳ１８＝ＹＥＳ）、屋外照度センサー３０から屋外の照度を取得するとともに、当該取得した屋外の照度と上述のように屋内照度センサー４０から取得した屋内の照度とを比較する（ステップＳ１９）。そして、屋外の照度が屋内の照度以上であるときには（ステップＳ１９＝ＹＥＳ）、調光シート１０の透光率が最大値ではないことを条件に（ステップＳ２０＝ＮＯ）、まずは調光シート１０の透光率を上方修正する（ステップＳ２１）。このとき、調光シート１０の透光率が上がることに合わせて、屋外から屋内に入射する光の光量が増大する。その結果、調光シート１０の透光率を変化させる前と比較して、屋内の照度が上昇する。
【００５４】
そして、照度制御装置５０は、こうして調光シート１０の透光率を上方修正してもなお、屋内の照度が設定照度と一致しないときには（ステップＳ２６＝ＮＯ）、その処理をステップＳ１０に戻す。
【００５５】
このとき、照度制御装置５０は、上述のように、屋内の照度は依然として設定照度よりも低い状態にあることから（ステップＳ１０＝ＮＯ、ステップＳ１８＝ＹＥＳ）、その処理をステップＳ１９に移行する。そして、照度制御装置５０は、屋内の照度が設定照度と一致するまで、ステップＳ１０、ステップＳ１８〜ステップＳ２１、ステップＳ２６の処理を繰り返す。
【００５６】
そして、照度制御装置５０は、調光シート１０の透光率が最大値となるまで上げてもなお、屋内の照度が設定照度と一致しないときには（ステップＳ２６＝ＮＯ）、ステップＳ２０において調光シート１０の透光率が最大値であると判定する（ステップＳ２０＝ＹＥＳ）。そして、照度制御装置５０は、その処理をステップＳ２２に移行して、照明器具２０の照明強度を上げる（ステップＳ２２）。
【００５７】
その後、照度制御装置５０は、こうして照明器具２０の照明強度を上げてもなお、屋内の照度が設定照度と一致しないときには（ステップＳ２６＝ＮＯ）、その処理をステップＳ１０に戻す。
【００５８】
このとき、照度制御装置５０は、上述のように、屋内の照度が依然として設定照度よりも低い状態にあることから（ステップＳ１０＝ＮＯ、ステップＳ１８＝ＹＥＳ）、その処理をステップＳ１９に移行する。そして、照度制御装置５０は、屋内の照度が設定照度と一致するまで、ステップＳ１０、ステップＳ１８〜ステップＳ２０、ステップＳ２２、ステップＳ２６の処理を繰り返す。その後、照度制御装置５０は、屋内の照度が設定照度と一致した時点で（ステップＳ２６＝ＹＥＳ）、図９及び図１０に示す照度制御を終了する。
【００５９】
また、照度制御装置５０は、先のステップＳ１９において、屋外の照度が屋内の照度よりも低いときには（ステップＳ１９＝ＮＯ）、調光シート１０の透光率が最小値ではないことを条件に（ステップＳ２３＝ＮＯ）、まずは調光シート１０の透光率を下方修正する（ステップＳ２４）。このとき、調光シート１０の透光率が下がることに合わせて、屋内から屋外に放出される光の光量が減少する。その結果、調光シート１０の透光率を変化させる前と比較して、屋内の照度が上昇する。
【００６０】
そして、照度制御装置５０は、こうして調光シート１０の透光率を下方修正してもなお、屋内の照度が設定照度と一致しないときには（ステップＳ２６）、その処理をステップＳ１０に戻す。
【００６１】
このとき、照度制御装置５０は、上述のように、屋内の照度は依然として設定照度よりも低い状態にあることから（ステップＳ１０＝ＮＯ、ステップＳ１８＝ＹＥＳ）、屋外の照度が屋内の照度よりも低いのであれば（ステップＳ１９＝ＮＯ）、その処理をステップＳ２３に移行する。そして、照度制御装置５０は、屋内の照度が設定照度と一致するまで、ステップＳ１０、ステップＳ１８、ステップＳ１９、ステップＳ２３、ステップＳ２４、ステップＳ２６の処理を繰り返す。
【００６２】
そして、照度制御装置５０は、調光シート１０の透光率を最小値となるまで下げてもなお、屋内の照度が設定照度と一致しないときには（ステップＳ２６＝ＮＯ）、ステップＳ２３において調光シート１０の透光率が最小値であると判定する（ステップＳ２３＝ＹＥＳ）。そして、照度制御装置５０は、その処理をステップＳ２５に移行して、照明器具２０の照明強度を上げる（ステップＳ２５）。
【００６３】
その後、照度制御装置５０は、こうして照明器具２０の照明強度を上げてもなお、屋内の照度が設定照度と一致しないときには（ステップＳ２６＝ＮＯ）、その処理をステップＳ１０に戻す。
【００６４】
このとき、照度制御装置５０は、上述のように、屋内の照度が依然として設定照度よりも低い状態にあることから（ステップＳ１０＝ＮＯ、ステップＳ１８＝ＹＥＳ）、その処理をステップＳ１９に移行する。そして、照度制御装置５０は、屋外の照度が屋内の照度よりも低い間は、屋内の照度が設定照度と一致するまで、ステップＳ１０、ステップＳ１８、ステップＳ１９、ステップＳ２３、ステップＳ２５、ステップＳ２６の処理を繰り返す。その後、照度制御装置５０は、屋内の照度が設定照度と一致した時点で（ステップＳ２６＝ＹＥＳ）、図９及び図１０に示す照度制御を終了する。
【００６５】
なお、照度制御装置５０は、屋内照度センサー４０から取得した屋内の照度の初期値が設定照度と一致するときには（ステップＳ１０＝ＮＯ、ステップＳ１８＝ＮＯ）、先のステップＳ１１〜ステップＳ２５の処理を経ることなく、その処理をステップＳ２６に移行する。このとき、照度制御装置５０は、上述のように屋内の照度が設定照度と一致することから（ステップＳ２６＝ＹＥＳ）、図９及び図１０に示す照度制御を終了する。
【００６６】
次に、上記実施の形態の照度制御システムの作用について、特に、調光シート１０と照明器具２０とを組み合わせて屋内の照度を制御するときの作用に着目して以下説明する。
図１１（ａ）〜図１１（ｃ）に示す例では、昼間のように屋外の照度が比較的高い傾向にあって予め設定した設定照度よりも高く、且つ、照明器具２０の照明強度の初期値も比較的高い傾向にあって屋内の照度の初期値も設定照度よりも高い。この例では、照度制御装置５０は、まず照明器具２０の照明強度を次第に下げていく。そして、こうして照明器具２０の照明強度が低下することに合わせて、屋内の照度が次第に低下していく。なお、照度制御装置５０は、照明器具２０の照明強度を低下させている間、調光シート１０の透光率を初期値に維持する。
【００６７】
また、照度制御装置５０は、屋内の照度が設定照度に達する前に、照明器具２０の照明強度が「零」となって、照明器具２０の照明動作が停止した時点ｔ１で、調光シート１０の透光率の下方修正を開始する。これにより、照明器具２０の照明動作が停止されることに加えて、屋外の照度が屋内の照度よりも高いことに起因した屋外から屋内への光の入射が調光シート１０によって抑えられる。その結果、照明器具２０の照明動作が停止した時点ｔ１と比較して、屋内の照度がより一層低下する。その後、照度制御装置５０は、屋内の照度が設定照度まで低下した時点ｔ２で、調光シート１０の透光率の下方修正を停止して当該時点ｔ２における調光シート１０の透光率を維持する。
【００６８】
すなわち、本実施の形態では、図１１（ａ）〜図１１（ｃ）に示すように、屋外の照度が設定照度よりも高く、且つ、屋内の照度の初期値が設定照度よりも高いときには、照度制御装置５０は、屋外の照度が屋内の照度以上であれば、屋内の照度を下げる上でまず、照明器具２０の照明強度を低下させる。そして、照度制御装置５０は、照明器具２０が消灯してもなお、屋内の照度が依然として設定照度よりも高いことを条件に、調光シート１０の透光率を下方修正する。このように、照度制御装置５０は、屋内の照度を下げる際には、屋外の照度が屋内の照度以上であれば、照明器具２０の照明強度を下げて屋外から屋内への光の取り込みを促進する。そして、照明器具２０の照明動作をオフにしてもなお、屋内の照度が設定照度に達しないときには、調光シート１０の透光率を下げて屋外から屋内への光の入射を抑える。これにより、屋内の照度を制御する上でのエネルギー効率が高められる。
【００６９】
なお、図示は省略したが、屋外の照度が設定照度よりも高く、且つ、屋内の照度の初期値が設定照度よりも高いときには、照度制御装置５０は、屋外の照度が屋内の照度よりも低いのであれば、屋内の照度を下げる上でまず、調光シート１０の透光率を下げる。そして、照度制御装置５０は、調光シート１０の透光率が最小値になってもなお、屋内の照度が依然として設定照度よりも高いことを条件に、照明器具２０の照明強度を低下させる。このように、照度制御装置５０は、屋内の照度を下げる際には、屋外の照度が屋内の照度よりも低いのであれば、調光シート１０の透光率を下げて屋外から屋内への光の放出を抑える。そして、照度制御装置５０は、調光シート１０の透光率を最小値に設定した上で、照明器具２０の照明強度を下げる。これにより、照明器具２０の照明強度が最大限に活かされるかたちとなり、屋内の照度を制御する上でのエネルギー効率が高められる。
【００７０】
また、図１２（ａ）〜図１２（ｃ）に示す例では、昼間のように屋外の照度が比較的高い傾向にあって予め設定した設定照度よりも高く、且つ、照明器具２０の照明強度の初期値が比較的低い傾向にあって屋内の照度の初期値が設定照度よりも低い。この例では、照度制御装置５０は、まず調光シート１０の透光率を次第に上げていく。そして、こうして調光シート１０の透光率が上昇することに合わせて、屋内の照度が次第に上昇していく。なお、照度制御装置５０は、調光シート１０の透光率を上げている間、照明器具２０の照明強度を初期値に維持する。
【００７１】
また、照度制御装置５０は、屋内の照度が設定照度に達する前に、調光シート１０の透光率が最大値となった時点ｔ３で、照明器具２０の照明強度を上げ始める。これにより、屋外の照度が屋内の照度よりも高いことに起因して屋外から入射する光が調光シート１０によって屋内に取り込まれることに加えて、照明器具２０の照明動作が行われることにより、調光シート１０の透光率が最大値となった時点ｔ３と比較して、屋内の照度がより一層上昇する。その後、照度制御装置５０は、屋内の照度が設定照度まで上昇した時点ｔ４で、照明器具２０の照明強度の上昇を停止して当該時点ｔ４における照明器具２０の照明強度を維持する。
【００７２】
すなわち、本実施の形態では、図１２（ａ）〜図１２（ｃ）に示すように、屋外の照度が設定照度よりも高く、且つ、屋内の照度の初期値が設定照度よりも低いときには、照度制御装置５０は、屋内の照度を上げる上でまず、調光シート１０の透光率を上方修正する。そして、照度制御装置５０は、調光シート１０の透光率を最大値まで上昇させてもなお、屋内の照度が依然として設定照度よりも低いことを条件に、照明器具２０の照明強度を上げる。このように、照度制御装置５０は、屋内の照度を上げる際には、照明器具２０と比較して消費電力の小さい調光シート１０の透光率を優先して制御するため、屋内の照度を制御する上でのエネルギー効率が高められる。
【００７３】
また、図１３（ａ）〜図１３（ｃ）に示す例では、夕方のように屋外の照度が比較的低い傾向にあって予め設定した設定照度よりも低く、且つ、照明器具２０の照明強度の初期値が比較的高い傾向にあって屋内の照度の初期値が屋外の照度よりも高い。この例では、照度制御装置５０は、まず調光シート１０の透光率を次第に下げていく。これにより、屋内の照度が屋外の照度よりも高いことに起因した屋内から屋外への光の放出が調光シート１０によって抑えられることに加えて、屋内から屋外へ放出しようとする光が調光シート１０によって屋内に反射されることにより、屋内の照度が次第に上昇していく。なお、照度制御装置５０は、調光シート１０の透光率を上げている間、照明器具２０の照明強度を初期値に維持する。
【００７４】
また、照度制御装置５０は、屋内の照度が設定照度に達する前に、調光シート１０の透光率が最小値となった時点ｔ５で、照明器具２０の照明強度を上げ始める。これにより、上述のように調光シート１０によって屋内の照度が高められることに加えて、照明器具２０の照明動作が行われることにより、調光シート１０の透光率が最小値となった時点ｔ５と比較して、屋内の照度がより一層上昇する。その後、照度制御装置５０は、屋内の照度が設定照度まで上昇した時点ｔ６で、照明器具２０の照明強度の上昇を停止して当該時点ｔ６における照明器具２０の照明強度を維持する。
【００７５】
すなわち、本実施の形態では、図１３（ａ）〜図１３（ｃ）に示すように、屋外の照度が設定照度よりも低く、且つ、屋内の照度の初期値が屋外の照度よりも高いときには、照度制御装置５０は、屋内の照度を上げる上でまず、調光シート１０の透光率を下方修正する。そして、照度制御装置５０は、調光シート１０の透光率を最小値まで低下させてもなお、屋内の照度が依然として設定照度よりも低いことを条件に、照明器具２０の照明強度を上げる。このように、照度制御装置５０は、屋内の照度を上げる際には、照明器具２０と比較して消費電力の小さい調光シート１０の透光率を優先して制御するため、屋内の照度を制御する上でのエネルギー効率が高められる。また、照度制御装置５０は、照明器具２０の照明強度を上げる際には、調光シート１０の透光率が最小値となっており、照明器具２０から照らされる光が屋内から屋外に放出されることなく、調光シート１０によって屋内に極力反射されやすくなっているため、この点でも、屋内の照度を制御する上でのエネルギー効率が高められる。
【００７６】
また、図１４（ａ）〜図１４（ｃ）に示す例では、夕方のように屋外の照度が比較的低い傾向にあって予め設定した設定照度よりも低く、且つ、照明器具２０の照明強度の初期値が比較的低い傾向にあって屋内の照度の初期値が屋外の照度よりも低い。この例では、照度制御装置５０は、まず調光シート１０の透光率を次第に上げていく。これにより、屋外の照度が屋内の照度よりも高いことに起因して屋外から入射する光が調光シート１０によって屋内に取り込まれる。なお、照度制御装置５０は、調光シート１０の透光率を上げている間、照明器具２０の照明強度を初期値に維持する。
【００７７】
また、同図に示す例では、屋内の照度が設定照度に達する前に、調光シート１０の透光率が最大値となった時点ｔ７で、照明器具２０の照明強度を上げ始める。これにより、上述のように調光シート１０によって屋内の照度が高められることに加えて、照明器具２０の照明動作が行われることにより、調光シート１０の透光率が最大値となった時点ｔ８と比較して、屋内の照度がより一層上昇する。
【００７８】
そして、こうして屋内の照度が上昇する過程で屋内の照度が屋外の照度を上回った時点ｔ８で、照度制御装置５０は、調光シート１０の透光率を次第に下げていく。これにより、屋内の照度が屋外の照度よりも高いことに起因した屋内から屋外への光の放出が調光シート１０によって抑えられることに加えて、屋内から屋外へ放出しようとする光が調光シート１０によって屋内に反射されることにより、屋内の照度が次第に上昇していく。なお、照度制御装置５０は、調光シート１０の透光率を下げている間、照明器具２０の照明強度を維持する。
【００７９】
また、照度制御装置５０は、屋内の照度が設定照度に達する前に、調光シート１０の透光率が最小値となった時点ｔ９で、照明器具２０の照明強度を上げ始める。これにより、上述のように調光シート１０によって屋内の照度が高められることに加えて、照明器具２０の照明動作が行われることにより、調光シート１０の透光率が最小値となった時点ｔ９と比較して、屋内の照度がより一層上昇する。その後、照度制御装置５０は、屋内の照度が設定照度まで上昇した時点ｔ１０で、照明器具２０の照明強度の上昇を停止して当該時点ｔ１０における照明器具２０の照明強度を維持する。
【００８０】
すなわち、本実施の形態では、図１４（ａ）〜図１４（ｃ）に示すように、屋外の照度が設定照度よりも低く、且つ、屋内の照度の初期値が屋外の照度よりも低いときには、照度制御装置５０は、屋内の照度が屋外の照度よりも低い間は、屋内の照度を上げる上でまず、調光シート１０の透光率を上方修正する。そして、照度制御装置５０は、調光シート１０の透光率を最大値まで上昇させてもなお、屋内の照度が依然として設定照度よりも低いことを条件に、照明器具２０の照明強度を上げる。
【００８１】
このように、照度制御装置５０は、屋内の照度を上げる際には、照明器具２０と比較して消費電力の小さい調光シート１０の透光率を優先して制御するため、屋内の照度を制御する上でのエネルギー効率が高められる。
【００８２】
また、本実施の形態では、照度制御装置５０は、屋内の照度の上昇に合わせて、屋内の照度と屋外の照度との大小関係が逆転したときには、屋内の照度を上げる上でまず、調光シート１０の透光率を下方修正する。そして、照度制御装置５０は、調光シート１０の透光率を最小値まで低下させてもなお、屋内の照度が依然として設定照度よりも低いことを条件に、照明器具２０の照明強度を上げる。このように、照度制御装置５０は、屋内の照度と屋外の照度の大小関係が逆転した直後にあって屋内の照度を上げる際には、照明器具２０と比較して消費電力の小さい調光シート１０を優先して制御するため、屋内の照度を制御する上でのエネルギー効率が高められる。また、照度制御装置５０は、照明器具２０の照明強度を上げる際には、調光シート１０の透光率が最小値となっており、照明器具２０から照らされる光が屋内から屋外に放出されることなく、調光シート１０によって屋内に極力反射されやすくなっているため、この点でも、屋内の照度を制御する上でのエネルギー効率が高められる。
【００８３】
以上説明したように、上記第１の実施の形態によれば、以下に列挙する効果が得られる。
（１）屋外の照度が屋内の照度よりも高いときには、調光シート１０が比較的高い第１の透光率を示すことにより、屋外から調光シート１０を介して屋内に向けて光が取り込まれる。その一方で、屋外の照度が屋内の照度よりも低いときには、調光シート１０が比較的低い第２の透光率を示すことにより、屋内から屋外に向けて放出される光が調光シート１０により屋内に反射される。すなわち、屋外の照度が屋内の照度よりも高い場合であれ低い場合であれ、屋内の照度を所定の照度とするのに必要とされる屋内の照明器具２０の照明強度を抑えて照明のエネルギー効率を高めることができる。
【００８４】
（２）屋内の照度が予め設定した設定照度を上回るときには、屋外から調光シート１０を介して屋内に取り込まれる光の光量を抑える。これにより、照明のエネルギー効率を維持しつつ、屋内の照度を設定照度に収束させることができる。
【００８５】
（３）屋内の照度が設定照度を上回るときには、照明器具２０の照明動作が行われているのであれば、まずは照明器具２０の照明強度を低下させる。そして、照明器具２０が消灯した時点であっても屋内の照度が設定照度を上回ったときに初めて、屋外から調光シート１０を介して屋内に取り込まれる光の光量を抑える。これにより、照明のエネルギー効率を最大限に高めつつ、屋内の照度を設定照度に収束させることができる。
【００８６】
（４）屋内の照度が設定照度を下回るときには、屋外の照度が屋内の照度よりも高く、屋外から屋内への光の入射量の方が屋内から屋外への光の放出量よりも大きい状況にあることを条件に、屋外から屋内への調光シート１０を介した光の取り込みを促す。これにより、照明のエネルギー効率を高めつつ、屋内の照度を設定照度に収束させることができる。
【００８７】
（５）屋内の照度が設定照度を下回るときには、屋外の照度が屋内の照度よりも低く、屋内から屋外への光の放出量の方が屋外から屋内への光の入射量よりも大きい状況にあることを条件に、屋外から屋内への調光シート１０を介した光の放出を抑える。これにより、照明のエネルギー効率を高めつつ、屋内の照度を設定照度に収束させることができる。
【００８８】
（６）調光シート１０は、一対の透明電極１２と、一対の透明電極１２の間に配置され、高分子樹脂１３Ａ及び液晶分子１３Ｂが充填された液晶層からなる調光層１３とを有し、照度制御装置５０は、一対の透明電極１２に印加する電圧の大きさを制御する。これにより、調光シート１０の透光率のダイナミックレンジを大きく確保することができるため、屋内の照度を幅広く制御することが可能となる。
【００８９】
（第２の実施の形態）
図１５から図２０を参照して、照度制御システムの第２の実施の形態について説明する。以下では、第１の実施の形態との相違点を中心に説明し、第１の実施の形態と同様の構成については同じ符号を付してその説明を省略する。
【００９０】
図１５に示すように、調光シート１０は、一対の基板１１、一対の透明電極１２、調光層１３に加えて、配向膜１４を更に有している。
配向膜１４は、各透明電極１２のうち調光層１３に対向する電極面に設けられており、例えば、ポリイミド、ポリアミド、ポリビニルアルコール、シリコン、シアン化化合物等の有機化合物、ＳｉＯ２、ＺｒＯ２等の無機化合物、又はこれらの混合物により構成されている。配向膜１４は、垂直配向膜であり、液晶分子１３Ｂの長軸方向を各透明電極１２の電極面と垂直となるように配向させている。
【００９１】
そして、図１５に示すように、本実施の形態では、照度制御装置５０から一対の透明電極１２に第１の電圧Ｖ１として０［Ｖ］を印加するときであって、照度制御装置５０から一対の透明電極１２に電圧を印加していない状態では、液晶の相状態は、上述した配向膜１４の機能に基づき、液晶分子１３Ｂの長軸方向が各透明電極１２の電極面と垂直になるホメオトロピック相となる。
【００９２】
このように、液晶分子１３Ｂが配向された状態では、液晶分子１３Ｂの屈折率と高分子樹脂１３Ａの屈折率とが揃うことから、調光シート１０に入射した光が進行方向を大きく曲げることなく、調光シート１０を透過するようになり、調光シート１０は透明な状態となる。そのため、図１６に示すように、屋外の照度が屋内の照度よりも高いときには、屋外から調光シート１０に入射した光が調光シート１０の厚み方向に透過して屋内に進入しやすい。その一方で、図１７に示すように、屋外の照度が屋内の照度よりも低いときには、屋内から調光シート１０に入射した光が調光シート１０の厚み方向に透過して屋外に放出されやすい。
【００９３】
その一方で、図１８に示すように、照度制御装置５０から一対の透明電極１２に印加する電圧が第１の電圧よりも大きい第２の電圧であるときには、液晶の相状態は、液晶分子１３Ｂの長軸方向の向きが、当該液晶分子１３Ｂの近傍に位置する高分子樹脂１３Ａにも依存して不規則的になるフォーカルコニック相となる。
【００９４】
このように、液晶分子１３Ｂが配向されていない状態では、調光シート１０に入射した光が進行方向を大きく曲げられて拡散するようになり、調光シート１０は白濁した状態となる。そのため、図１９に示すように、屋外の照度が屋内の照度よりも高いときには、屋外から調光シート１０に入射した光が屋外側に散乱することとなり、調光シート１０の厚み方向に透過して屋内には進入しにくい。その一方で、図２０に示すように、屋外の照度が屋内の照度よりも低いときには、屋内から調光シート１０に入射した光が屋内側に散乱することとなり、調光シート１０の厚み方向に透過して屋外には放出されにくい。
【００９５】
したがって、一対の透明電極１２に印加される電圧が第１の電圧であるときには、上述のように調光層１３が透光性を示すことから、透光率（第１の透光率）は比較的高い傾向にある。その一方で、一対の透明電極１２に印加される電圧が第２の電圧であるときには、上述のように調光層１３が非透光性を示すことから、透光率（第２の透光率）は比較的低い傾向にある。すなわち、本実施の形態では、上記第１の実施の形態と比較して、印加する電圧を変化させたときの透光率の大小関係が逆転する。そして、本実施の形態では、照度制御装置５０は、一対の透明電極１２に印加される電圧が第１の電圧から第２の電圧に変化する過程の範囲も含めて、一対の透明電極１２に印加する大きさを連続的に変化させることにより、透光率を定量的に調整可能となっている。
【００９６】
以上説明したように、上記第２の実施の形態によれば、上記第１の実施の形態と同様の効果が得られる。
（第３の実施の形態）
図２１から図２３を参照して、照度制御システムの第３の実施の形態について説明する。
【００９７】
図２１は、照度制御装置５０の機能構成を示すブロック図である。同図に示すように、照明強度算出部５３は、屋外照度センサー３０から入力される屋外の照度情報、及び屋内照度センサー４０から入力される屋内の照度情報に加え、人検知センサー６０から入力される屋内の人物の有無に関する情報に基づき、照明器具２０の照明強度を算出する。
【００９８】
次に、照度制御装置５０が、上述した人検知センサー６０から入力される情報も含めて考慮しつつ、調光シート１０及び照明器具２０を通じて実行する屋内の照度制御について、その具体的な制御手順を説明する。ここで、照度制御装置５０は、屋内の照度制御を所定の周期で実行する。
【００９９】
図２２及び図２３に示すように、この照度制御ではまず、照度制御装置５０は、人検知センサー６０から屋内の人物の有無に関するデータを取得する（ステップＳ３０）。そして、照度制御装置５０は、こうして取得したデータに基づき、屋内から人物が検知されない場合（ステップＳ３０＝ＮＯ）、屋内の照明器具２０がオン状態にあるときには（ステップＳ３１＝ＹＥＳ）、照明器具２０を消灯させてオフ状態に設定した上で（ステップＳ３２）、その処理をステップＳ３０に戻す。その一方で、照度制御装置５０は、屋内の照明器具２０が既にオフ状態に設定されているときには（ステップＳ３１＝ＮＯ）、先のステップＳ３２の処理を経ることなく、その処理をステップＳ３０に戻す。
【０１００】
このように、照度制御装置５０は、屋内から人物が検知されないときには、そもそも屋内の照度を適正に維持する必要がないことから、屋外照度センサー３０や屋内照度センサー４０から取得されるデータとは無関係に、照明器具２０の照明動作を強制的にオフに設定する。これにより、屋内の照度を制御する上でのエネルギー効率がより一層高められる。
【０１０１】
そして、照度制御装置５０は、人検知センサー６０から取得したデータに基づき、屋内から人物が検知されたときには（ステップＳ３０＝ＹＥＳ）、ステップＳ３３〜ステップＳ４９において、上記第１の実施の形態における図９及び図１０のステップＳ１０〜ステップＳ２６と同様の処理を経て、調光シート１０及び照明器具２０を連携させた屋内の照明制御を行った上で、図２２及び図２３に示す照明制御を終了する。
【０１０２】
以上説明したように、上記第３の実施の形態によれば、以下に列挙する効果が得られる。
（７）照度制御装置５０は、人検知センサー６０により屋内から人物が検知されないときには、照明器具２０を消灯させる。これにより、屋内に人物が存在しないときには、屋内の照度の高低に関わらず、照明器具２０の照明動作が自動的に停止されるため、照明のエネルギー効率をより一層高めることが可能となる。
【０１０３】
（その他の実施の形態）
なお、上記各実施の形態は、以下のような形態にて実施することもできる。
・上記各実施の形態において、調光シート１０は、壁部１００の開口部１０１のうち、調光窓１０２の外側に隣接して設けられてもよい。
【０１０４】
・上記第１及び第３の実施の形態において、調光シート１０は、液晶分子を高分子中に分散させて液晶層を構成したＰＤＬＣ（Polymer Stabilized Cholesteric Texture）構造を有してもよいし、高分子を含まない溶媒中に液晶分子を分散させて液晶層を構成してもよいし、調光層として液晶分子を含まないように構成してもよい。要は、印加する電圧の大きさに基づいて調光量が変化する構成であれば調光シートとして採用することは可能である。
【０１０５】
・上記各実施の形態において、照度制御装置５０は、照明器具２０の照明強度を制御することなく調光シート１０の透光率を制御することにより、屋内の照度を制御するようにしてもよい。
【０１０６】
・上記各実施の形態において、照度制御装置５０は、屋内の照度が予め設定した設定照度よりも低いときであって、且つ、屋外の照度が屋内の照度よりも高いとき、調光シート１０の透光率が最大値に達する前の時点から調光シート１０の透光率の上方修正と照明器具２０の照明強度の増大を並行して行うようにしてもよい。
【０１０７】
・上記各実施の形態において、照度制御装置５０は、屋内の照度が予め設定した設定照度よりも高いときであって、且つ、屋外の照度が屋内の照度よりも低いとき、調光シート１０の透光率が最小値に達する前の時点から調光シート１０の透光率の上方修正と照明器具２０の照明強度の増大とを並行して行うようにしてもよい。
【０１０８】
・上記各実施の形態において、照度制御装置５０は、屋内の照度が予め設定した設定照度よりも高いときであって、且つ、屋外の照度が屋内の照度よりも高いとき、屋内の照明器具２０がオフ状態となる前の時点から調光シート１０の透光率の下方修正と照明器具２０の照明強度の低減とを並行して行うようにしてもよい。
【０１０９】
・上記各実施の形態において、照度制御装置５０は、屋内の照度の目標となる設定照度を予め設定することなく、屋外の照度と屋内の照度との大小関係に基づき、調光シート１０の透光率を調整するようにしてもよい。この場合、照度制御装置５０は、屋外の照度が屋内の照度よりも高いときには調光シート１０が比較的高い透光率（第１の透光率）を示す電圧を透明電極１２に印加する制御を行う一方で、屋外の照度が屋内の照度よりも低いときには調光シート１０が比較的低い透光率（第２の透光率）を示す電圧を透明電極１２に印加する制御を行うようにすればよい。
【０１１０】
・上記各実施の形態において、照度制御装置５０は、屋外照度センサー３０から入力される屋外の照度情報に代えて、太陽光の強度や天候情報等といった光源情報を外部から取得し、当該取得した光源情報と屋内照度センサー４０から入力される屋内の照度情報とを組み合わせて屋内と屋外の照度の差である照度差を取得してもよい。また、照度制御装置５０は、例えば、時間帯や天候情報等と関連付けて、屋外の照度と屋内の照度との相関関係を示す関係式を有しているのであれば、該当する関係式に対して屋外照度センサー３０及び屋内照度センサー４０の何れか一方から入力される照度の情報を入力することにより、屋内と屋外の照度の差である照度差を取得してもよい。
【符号の説明】
【０１１１】
１０…調光部としての調光シート、１１…基板、１１Ａ…第１面、１１Ｂ…第２面、１２…透明電極、１３…調光層、１３Ａ…高分子樹脂、１３Ｂ…液晶分子、１４…配向膜、２０…照明器具、３０…照度差取得部を構成する屋外照度センサー、４０…照度差取得部を構成する屋内照度センサー、５０…調光制御部及び照明制御部としての照度制御装置、５１…透光率算出部、５２…調光駆動部、５３…照明強度算出部、５４…照明駆動部、６０…人検知センサー、１００…壁部、１０１…開口部、１０２…調光窓、１０３…天井部。
【図１】
2018018727.tif 000003
【図２】
2018018727.tif 000004
【図３】
2018018727.tif 000005
【図４】
2018018727.tif 000006
【図５】
2018018727.tif 000007
【図６】
2018018727.tif 000008
【図７】
2018018727.tif 000009
【図８】
2018018727.tif 000010
【図９】
2018018727.tif 000011
【図１０】
2018018727.tif 000012
【図１１】
2018018727.tif 000013
【図１２】
2018018727.tif 000014
【図１３】
2018018727.tif 000015
【図１４】
2018018727.tif 000016
【図１５】
2018018727.tif 000017
【図１６】
2018018727.tif 000018
【図１７】
2018018727.tif 000019
【図１８】
2018018727.tif 000020
【図１９】
2018018727.tif 000021
【図２０】
2018018727.tif 000022
【図２１】
2018018727.tif 000023
【図２２】
2018018727.tif 000024
【図２３】
2018018727.tif 000025